(57)【要約】建築物の開口部のための取り出しおよび延長可能な被覆装置（１）であって、第１および第２の実質的に平行なポスト（３、５）、取り出しおよび延長可能な実質的に長方形の網部材（７）、および第１の可撓性ガイド部材（９、１０９）を含む。第１の可撓性ガイド部材（９、１０９）は、第１および第２のポスト（３、５）のうちの１つの中へ曲げられ、その中で摺動可能に受けることができる。平行なポスト（３、５）の各々は、中空の内部（１９、２３）を有し、前記第１および第２のポストのうちの少なくとも１つが、他方に向けておよび離れて移動可能である。取り出しおよび延長可能な網部材（７）は、第１および第２の対の向かい合う平行な縁部を有し、その第１の対の平行な縁部において前記第１および第２の平行なポスト（３、５）の間に搭載される。第１の可撓性ガイド部材（９、１０９）は、網部材（７）の第２の対の平行な縁部の１つの縁部に沿って、前記第１および第２のポスト（３、５）の間で延長して、前記網部材（７）の１つの縁部を保持する。第１および第２のポスト（３、５）は各々、その間で、第１の可撓性ガイド部材（９）を摺動可能に受けるのに前記中空の内部（１９、２３）を画定する、基部プロファイル部（６９、１６９）および補助プロファイル部（７１、１７１）を含む。任意で、前記補助プロファイル部（７１、１７１）が、前記基部プロファイルに接続可能な２つの異なる位置のうちの選択された１つにおいて、前記基部プロファイル部（６９、１６９）に搭載可能である。
2014523988.tif 000002
【特許請求の範囲】
【請求項１】
第１および第２の実質的に平行なポストであって、各々が中空の内部を有し、前記第１および第２のポストのうちの少なくとも１つが、他方の前記第１および第２のポストに向けておよび離れて移動可能であるポスト、
取り出しおよび延長可能な実質的に長方形の被覆部材であって、第１および第２の対の向かい合う平行な縁部を有し、前記第１の対の平行な縁部において前記第１および第２の平行なポストの間に搭載される被覆部材、
第１の可撓性ガイド部材であって、前記第２の対の平行な縁部の１つの縁部に沿って、前記第１および第２のポストの間で延長して、前記被覆部材の１つの縁部を保持し、
前記第１および第２のポストのうちの１つの前記中空の内部の中へ曲げられ、その中で摺動可能に受けることができる第１の可撓性ガイド部材、
を含み、
前記第１および第２のポストは各々、その間で前記中空の内部を画定する、基部プロファイル部および補助プロファイル部を含む、
建築物の開口部のための、取り出しおよび延長可能な被覆装置。
【請求項２】
前記補助プロファイル部が、前記基部プロファイルに接続可能な２つの異なる位置のうちの選択された１つにおいて、前記基部プロファイル部に搭載される、
請求項１に記載の取り出しおよび延長可能な被覆装置。
【請求項３】
前記第１および第２のポストが実質的に同一である、
請求項１または２に記載の取り出しおよび延長可能な被覆装置。
【請求項４】
第２の可撓性ガイド部材が、前記被覆部材の前記第２の対の平行な縁部の他方の縁部に沿って延長して他方の縁部を保持し、ならびに、前記第２の可撓性ガイド部材が、前記第１の可撓性ガイド部材を受けるもの以外の前記第１および第２のポストのうちの１つの前記中空の内部内で曲げられ、および摺動可能に受けることができる、
請求項１、２、または３に記載の取り出しおよび延長可能な被覆装置。
【請求項５】
第１の種類の端部部材の１つの標本が、前記第１のポストの第１の長手方向の端部に搭載され、前記第１の種類の端部部材の別の標本が、前記第２のポストの第２の長手方向の端部に搭載される、
請求項１から４のいずれか１項に記載の取り出しおよび延長可能な被覆装置。
【請求項６】
第２の種類の端部部材の１つの標本が、前記第１のポストの第２の長手方向の端部に搭載され、前記第２の種類の端部部材の別の標本が、前記第２のポストの第１の長手方向の端部に搭載される、
請求項１から５のいずれか１項に記載の取り出しおよび延長可能な被覆装置。
【請求項７】
少なくとも前記第１の可撓性ガイド部材が、前記第１および第２のポストの間で延長する前記被覆部材の前記第２の対の平行な縁部の縁部を収容するように適合した横断面を有する、
請求項１から６のいずれか１項に記載の取り出しおよび延長可能な被覆装置。
【請求項８】
前記可撓性ガイド部材が、固定されたガイドレールを係合するように適合され、前記固定されたガイドレールの横輪郭に対して補完的な形成物を画定する、
請求項７に記載の取り出しおよび延長可能な被覆装置。
【請求項９】
少なくとも前記第１の可撓性ガイド部材が、複数の枢動可能に相互接続されたチェーンリンクを含む、
請求項１から８のいずれか１項に記載の取り出しおよび延長可能な被覆装置。
【請求項１０】
各チェーンリンクが、枢動接続と整列する中央ウェブによって横にスペースを空けた側面フランジを含み、前記中央ウェブおよび枢動接続が非対称的に位置して、前記固定されたレールに係合するためのくぼみよりも深い前記被覆部材の縁部を受けるためのくぼみを画定する、
請求項９に記載の取り出しおよび延長可能な被覆装置。
【請求項１１】
第２の種類の端部部材の１つの標本が、前記第１のポストの第２の長手方向の端部に搭載され、前記第２の種類の端部部材の別の標本が、前記第２のポストの第１の長手方向の端部に搭載されるものであって、前記第２の端部部材が、前記第１および第２の可撓性ガイド部材のうちの１つを、前記第１および第２のポストのうちの関連性のある１つの中へ曲げられるためのガイド部材ディフレクタを含む、
請求項１から１０のいずれか１項に記載の取り出しおよび延長可能な被覆装置。
【請求項１２】
前記ガイド部材ディフレクタが、前記第２の端部部材に取り外し可能に搭載された別体のガイドインサートの一部である、
請求項１１に記載の取り出しおよび延長可能な被覆装置。
【請求項１３】
少なくとも１つの心線が、前記被覆部材の前記第２の対の平行な縁部に平行に、および前記被覆部材の整列した開口部またはアイレットを通って延長する、
請求項１から１２のいずれか１項に記載の取り出しおよび延長可能な被覆装置。
【請求項１４】
前記基部プロファイルの中央ウェブ部分が、嵌め合わせストリップによって前記網部材を前記基部プロファイルに搭載するための場所決め手段を備え、前記網部材が前記嵌め合わせストリップに取り付けられた、
請求項１から１３のいずれか１項に記載の取り出しおよび延長可能な被覆装置。
【請求項１５】
前記嵌め合わせストリップが、その長さに沿ってそれに搭載される複数のコードガイドブロックを有するものであって、前記複数のコードガイドブロックが、前記嵌め合わせストリップを前記中央ウェブ部の凹溝部に搭載する、
請求項１４に記載の取り出しおよび延長可能な被覆装置。
【請求項１６】
前記コードガイドブロックが各々、前記基部プロファイルの前記凹溝部の向かい合う縁部の後ろで係合するための、向かい合う第１および第２の段状縁部を備え、前記第２の段状縁部が弾力性アーム部分上にあって、各コードガイドブロックが前記凹溝部との係合においてスナップ嵌めされることを認める、
請求項１５に記載の取り出しおよび延長可能な被覆装置。
【請求項１７】
前記嵌め合わせストリップが、その長さに沿って、前記コードガイドブロックのうちの１つを受けるごとに円形開口部および鋸歯状スロットからなる反復パターンを有する、
請求項１５または１６に記載の取り出しおよび延長可能な被覆装置。
【請求項１８】
前記コードガイドブロックのうちの１つが、前記鋸歯状スロットの長さに沿って異なる位置のうちの選択的な１つにおいて取り付け可能に配置され、前記鋸歯状スロットがそれにより、前記鋸歯状スロットに取り付けられた前記コードガイドブロックに取り付けられたその端部を有する心線のための調節可能な張力を供する、
請求項１７に記載の取り出しおよび延長可能な被覆装置。
【請求項１９】
前記第１および第２のポストの両方が、前記被覆部材を取り出しおよび延長するために移動可能である、
請求項１から１８のいずれか１項に記載の取り出しおよび延長可能な被覆装置。
【請求項２０】
前記平行な第１および第２のポストの片側の端部が、バランスプロファイルによってガイドされる、
請求項１から１９のいずれか１項に記載の取り出しおよび延長可能な被覆装置。
【請求項２１】
前記バランスプロファイルが、別体で取り付けられた前壁面を有する、
請求項２０に記載の取り出しおよび延長可能な被覆装置。
【請求項２２】
前記被覆部材がひだ状の防虫網であり、前記被覆装置が防虫網戸である、
請求項１から２１のいずれか１項に記載の取り出しおよび延長可能な被覆装置。
【発明の詳細な説明】
【技術分野】
【０００１】
本発明は、建築物の開口部のための、取り出しおよび延長可能な被覆装置に関するものである。このような被覆装置は、昆虫を締め出しつつ換気を可能にする網の形態であってもよいが、日光を和らげるのに有用であってもよい。
【背景技術】
【０００２】
従来技術において、このような網装置のさまざまな例が公知であって、１つの好まれる防虫網のバリエーションは、昆虫の侵入に対して建築物の開口部を密閉するひだ状の網を用いる。この種類の窓用網は、その取り出しのためにばねを必要とせず、結果として、非常に少ない労力で、ほとんど音を立てずに操作することができる。典型的には、これらの網は、戸口に設置されるとき、可撓性ガイド部材を用い、それらは簡便には、網戸が出入りのために開放されるとき、底部ガイドレールの高さを実質的に低減することを認める可動式プラスチックキャタピラチェーンとして形成される。キャタピラチェーンは、網が延長されて戸口を被覆するとき、垂直操作プロファイルの中へ消え、ひだ状の網のためのガイドとしての役割を果たす。キャタピラチェーンのための収納スペースは垂直操作プロファイルの高さによって制限されるため、この種類の網よって被覆することができる戸口の幅に制限がある。これは、キャタピラチェーンの上部および底部の両方が垂直操作プロファイルの中へ消えるときの、特定の事例である。操作プロファイルをできるだけ浅く保つことへの関心もあるので、垂直操作プロファイルで利用できる収納の高さは、上部および底部のキャタピラチェーンの間で共有しなければならないことが多かった。このような防虫網戸によって被覆することができる最大幅を増大するために、キャタピラチェーンまたは可撓性ガイド部材を収納するために要するスペースを低減する提案があった。このような提案の１つが欧州特許第ＥＰ１４４７５１７号に記載されており、それは上部可撓性ガイド部材をなくして、これを従来のガイドコードで置き換えたものである。ＥＰ１４４７５１７による配置は、垂直プロファイルのおおよそ高さ全体が、底部チェーンの収納に用いられることを認める。にもかかわらず、上部ガイドコードおよび底部可撓性ガイド部材は異なる摩擦挙動を示し、それは、操作のスムーズさおよび信頼性を損ないがちである。欧州特許第ＥＰ１９０３１７５号によって提案された別の解決策は、断面寸法において異なる上部および底部チェーンを用いるので、上部チェーンは、底部チェーン内で部分的に摺動することができる。ＥＰ１９０３１７５の解決策は、上部および底部チェーンによって提供される操作の特徴をある程度を保持しつつ、同時に、異なる部品の数および複雑な製造も増大させた。また、垂直プロファイルの大きさのわずかな低減を可能にするだけで、まだ上部および底部チェーンを互いに並んで収容しなければならない。欧州特許第ＥＰ１６５３０３８号からは、水平に引き出し可能な網戸のバージョンを提供することも公知であって、そこでは１つの可撓性ネットガイドが可動式垂直フレーム部材の上端部から出たり入ったりしつつ、別の可撓性ネットガイドが別の垂直フレーム部材の下端部から出たり入ったりする。
【０００３】
既存のガイド付き網装置は、建築物の開口部のフレーム内に容易に搭載することができるものの、建築物の開口部の前にそれを搭載するのに、追加のハードウェア、たとえば補助フレームを要することは、これらの短所と思われてきた。コストがかかること、および煩雑であることとは別に、このような補助フレームは、この種類の家の修繕製品に伴うべきである目立たない性質を高めない。
【０００４】
したがって、本発明の目的は、改良された、取り出しおよび延長可能な網装置を提案することである。より一般的な意味では、このように、本発明の目的は、従来技術の欠点の少なくとも１つを克服または改善することである。一般的に、本発明は、部品の組み立ておよび在庫管理の労力を低減することと同様に、設置および完成品の調節の労力を低減することを目指している。また、本発明の目的は、組み立ておよび操作においてより煩雑でなく、さらにまた比較的安価に作ることができる代替構造を提供することでもある。代替として、本発明の目的は、少なくとも公衆に有用な選択を提供することである。
【０００５】
この目的を達成するために、本発明は、添付の請求項で定義されるような取り出しおよび延長可能な網装置を提供する。特に、本発明は、建築物の開口部のための、取り出しおよび延長可能な被覆装置を含むものであって、それは、第１および第２の実質的に平行なポストであって、各々が中空の内部を有し、前記第１および第２のポストのうちの少なくとも１つが、他方の前記第１および第２のポストに向けておよび離れて移動可能であるもの、取り出しおよび延長可能な実質的に長方形の被覆部材であって、第１および第２の対の向かい合う平行な縁部を有し、前記第１の対の平行な縁部において前記第１および第２の平行なポストの間に搭載されるもの、第１の可撓性ガイド部材であって、前記第２の対の平行な縁部の１つの縁部に沿って、前記第１および第２のポストの間で延長して、前記被覆部材の１つの縁部を保持するもの、および前記第１の可撓性ガイド部材であって、前記第１および第２のポストのうちの１つの前記中空の内部の中へ曲げられ、その中で摺動可能に受けることができるものを含み、前記第１および第２のポストは各々、その間で前記中空の内部を画定する、基部プロファイル部および補助プロファイル部を含む。この特色は、その中で可撓性ガイド部材を挿入するために組み立てる間、ポストの中空の内部を出入り可能にするので、組み立てを高める。
【０００６】
好ましくは、前記補助プロファイル部が、２つの異なる位置のうちの選択された１つにおいて、前記基部プロファイル部に搭載可能である。このさらなる選択肢は、異なる設置のための追加ポストプロファイルの必要性をなくす、または低減する。
【０００７】
有利には、前記第１および第２のポストが実質的に同一であることができ、それは異なる部品の数をさらに低減し、在庫管理および組み立てを簡略化する。
【０００８】
この点に関して、第２の可撓性ガイド部材が、前記被覆部材の前記第２の対の平行な縁部の他方の縁部に沿って延長して他方の縁部を保持するとき、ならびに、前記第２の可撓性ガイド部材が、前記第１の可撓性ガイド部材を受けるもの以外の前記第１および第２のポストのうちの１つの前記中空の内部内で曲げられ、および摺動可能に受けることができることも好ましい。むしろ驚くべきことには、被覆部材に対する第１および第２の可撓性ガイド部材の向かい合う方向への移動は、被覆装置の適正な展開に効果が少ない、または、ない。可撓性ガイド部材の収納に両方の垂直ポストを用いる結果として、これらのポストが目立たせないのに十分スリムになることをまだ可能にしつつ、利用できる収納長さを最適に用いることを可能にする。
【０００９】
好都合には、第１の種類の端部部材の１つの標本が、前記第１のポストの第１の長手方向の端部に搭載されてもよく、前記第１の種類の端部部材の別の標本が、前記第２のポストの第２の長手方向の端部に搭載されてもよい。同様に、第２の種類の端部部材の１つの標本が、前記第１のポストの第２の長手方向の端部に搭載されてもよく、前記第２の種類の端部部材の別の標本が、前記第２のポストの第１の長手方向の端部に搭載されてもよい。同一の第１および第２のポストを有するさらなる利点は、端部部材が、第１および第２のポストの各々の端部に取り付けるために共有できることである。好ましい実施形態では、第１の種類の端部部材が、可撓性ガイド部材の一方の端部に取り付けるために用いられつつ、第２の種類の端部部材が、可撓性ガイド部材の別の端部を、ポストの中空の内部の中へ摺動可能にガイドするために用いられる。
【００１０】
別の好ましい実施形態では、可撓性ガイド部材が、前記第１および第２のポストの間で延長する前記被覆部材の前記第２の対の平行な縁部の縁部を収容するように適合した横断面を有する。ひだ状の網の縁部が、可撓性ガイド部材の向かい合うフランジの間で単に拘束されているとき、ひだ状の網の縁部にいかなるスロットまたはノッチを形成する必要性もない。簡便には、可撓性ガイド部材が、固定されたガイドレールの横輪郭に対して補完的な形成物を画定することによって、固定されたガイドレールを係合するようにも適合される。このような固定されたガイドレールは、可撓性ガイド部材が被覆装置の取り出しおよび延長された位置の間でまっすぐな経路をたどることを確実にする。同時に、このような固定されたガイドレールは、被覆装置が取り出されるとき、非常に浅く目立ちすぎないことができる。これは一般的に、被覆装置が人間の出入りも提供すべき戸口に用いられるときに、恩恵となる。
【００１１】
各可撓性ガイド部材は、好ましくは、複数の枢動可能に相互接続されたチェーンリンクも含む。弾力性によって可撓性のある可撓性ガイド部材とは対照的に、枢動可能に相互接続されたキャタピラタイプの可撓性ガイド部材は、より大きな可撓性を有し、まっすぐにされた緩められた位置から曲げることに反しない。それに加えて、各チェーンリンクが、枢動接続と整列する中央ウェブによって横にスペースを空けた側面フランジを含むとき、前記中央ウェブおよび枢動接続が非対称的に位置して、前記固定されたレールに係合するためのくぼみよりも深い前記被覆部材の縁部を受けるためのくぼみを画定する。受け入れられてきた実務に反して、チェーンリンクが枢軸に対して対称である必要が全くないことになった。本発明が示すように、中央ウェブの少なくとも片側の延長を低減することによって、チェーンリンクの断面の大きさをさらに低減することが可能である。
【００１２】
第２の端部部材は、好ましくは、前記第１および第２の可撓性ガイド部材のうちの１つを、前記第１および第２のポストのうちの関連性のある１つの中へ曲げるためのガイド部材ディフレクタも含む。特に、それにより、ガイド部材ディフレクタが、前記第２の端部部材に取り外し可能に搭載された別体のガイドインサートの一部であるとき、有利である。このような配置は、ガイドインサートが、通常端部部材全体の素材としては高価すぎる、より耐摩耗性のある素材、たとえばＺａｍａｋ（周知の亜鉛合金）、またはＵｌｔｅｍ（General Electric Plasticによって開発されたポリエーテルイミド樹脂）から製造されることを認める。ガイド部材ディフレクタがより耐摩耗性のない素材から作られても、まだそれは簡単に置き換えることができる。ガイドインサートはさらに、相殺的な摩耗の同じ恩恵とともに、固定されたガイドレールのためのガイド手段も備えることができる。
【００１３】
本発明による取り出しおよび延長可能な被覆装置は、少なくとも１つの心線が、前記被覆部材の前記第２の対の平行な縁部に平行に、および前記被覆部材の整列した開口部またはアイレットを通って延長するとき、さらに恩恵を受けることができる。１つ以上の心線は、第１および第２の可撓性ガイド部材の間の距離をより大きくすることを可能にして、それは、その設置にぶら下がっている被覆装置の、可能性のある、より大きな高さ、または可能性のある、より大きな幅のいずれかに変わる。
【００１４】
第１および第２のポストの両方が、前記被覆部材を取り出しおよび延長するために移動可能であるとき、さらに有利であってもよい。これは、被覆装置を、左または右または上または下であれ、その設置にぶら下がっている任意の選択された端部から開放するという選択肢を与える。
【００１５】
特に、第１および第２のポストが垂直に方向づけられている設置において、バランスプロファイルによってガイドされた平行な第１および第２のポストの片側の端部を有することが、有利であってもよい。これは、さもなければ光または昆虫が被覆を通ることを許容する任意の隙間を効果的にブロックすることを認める。バランスプロファイルの使用は、可動式ポストのガイダンスおよび組み立て操作を簡略化してもよい。組み立ては、バランスプロファイルが、別体で取り付けられた前壁面を有するとき、さらに高めることができる。
【００１６】
本発明の特に有利な実施形態では、前記被覆部材がひだ状の防虫網であり、前記被覆装置が防虫網戸である。
【００１７】
本発明のさらに有利な態様は、添付の明細書から、および付随する図面を参照することによって、明らかになるだろう。
【図面の簡単な説明】
【００１８】
【図１】本発明にかかる建築物の開口部のための被覆装置の実施形態の概略正面図である。
【図２】図１の矢印ＩＩ−ＩＩの方向に見た部分横断面である。
【図３】図１にかかる被覆装置の左手上部部分の部分斜視図である。
【図４】図１にかかる被覆装置の左手底部部分の分解配置における部分斜視図である。
【図５】キャタピラチェーンガイド部材の、２つの枢動可能に相互接続されたリンクの斜視図である。
【図６】図５の２つの枢動可能に相互接続されたリンクの多重立面図である。
【図７】図１にかかる被覆装置の右手上隅の部分斜視図である。
【図８】図７の多重部分図である。
【図９】図１にかかる被覆装置の右手下隅の断面の部分斜視図である。
【図１０】図１の被覆装置の垂直ポストを形成するために用いられるようなプロファイルアセンブリの長手方向端面図である。
【図１１】図１０のようだが異なって組み立てられたプロファイルアセンブリの長手方向端面図である。
【図１２】図４に示した左手底部部分の代替配置の部分立面図である。
【図１３】図１２に示した代替左手底部部分の部分斜視図である。
【図１４】図１２および１３の代替実施形態で用いられるガイドインサートの下方からの斜視図である。
【図１５】図１４のガイドインサートの上方からの斜視図である。
【図１６】異なってヒンジ連結されたチェーンリンクを有する代替可撓性ガイド部材の多重立面図である。
【図１７】図１６の可撓性ガイド部材の個別チェーンリンクの部分断面斜視図である。
【図１８Ａ】補助プロファイルの代替形態の長手方向端面図である。
【図１８Ｂ】取り付けられたひだ状の網部材を含む、わずかに変形された形態の基部プロファイルの長手方向端面図である。
【図１９Ａ】図１８Ｂの基部プロファイルとともに用いるための再方向付けコードガイドブロックの斜視図である。
【図１９Ｂ】図１８Ｂの基部プロファイルとともに用いるための再方向付けコードガイドブロックの反対側の斜視図である。
【図２０】ひだ状の網部材を、図１８Ｂの基部プロファイルに搭載するための、一部組み立てられた嵌め合わせストリップである。
【図２１】基部プロファイルから取り外されたひだ状の網部材および嵌め合わせストリップの部分斜視図である。
【図２２】図２１のそれと反対の嵌め合わせストリップの側面を示す、基部プロファイルに取り付けられたひだ状の網部材および嵌め合わせストリップの部分斜視図である。
【発明を実施するための形態】
【００１９】
図１には、本発明の実施形態が、取り出しおよび延長可能な被覆装置１として概略的に図示される。被覆装置１は、その延長された位置で建築物の開口部、たとえば（図示しないが、従来の）窓または戸を被覆するための摺動可能な防虫網または日よけ幕であることができる。被覆装置１は、その間で延長する、延長および取り出し可能な網部材７を持つ、第１および第２の平行なポスト３、５を有する。第１および第２の可撓性ガイド部材９、１１は、網部材７の、第１および第２の平行なポスト３、５のうちの１つに取り付けられていないそれらの縁部に沿って延長する。第１および第２のポスト３、５の各々は、１つの第１の端部部材１３および１つの第２の端部部材１５を備える。図１に表されるように、第１のポスト３の第１の端部部材１３は、その長手方向底端部が定位置である。同様の第１の端部部材１３が、第２のポスト５の長手方向上端部に位置している。逆に、１つの第２の端部部材１５は第１のポスト３の上端部に、もう１つは第２のポスト５の底端部に位置している。ただし、当業者には、配置が鏡像であってもよいこと、または第１および第２のポスト３、５が、垂直の向きの可撓性ガイド部材９、１１を有し水平に延長してもよいことが明らかだろう。第１および第２の可撓性ガイド部材９、１１の各々は、本明細書において以下でさらに詳細に記載されるように、ヒンジ接続によって互いに関節でつながれている複数の個別チェーンリンク１７からなる。第１の可撓性ガイド部材９は、第１のポスト３の底部で第１の端部部材１３に固定的に取り付けられた第１の端部リンク１７ａを有する。第２の端部リンク１７ｂは、第２のポスト５のガイドトラック１９内でガイドおよび収容されて摺動可能である。第２のポスト５の底部の第２の端部部材１５は、第１の可撓性ガイド部材９をガイドトラック１９の中へ曲げるためのガイド部材ディフレクタ２１を備え、それは、キャタピラチェーンに例えることができる。第１および第２の平行なポスト３、５のうちの少なくとも１つは、その間に搭載される網部材７を取り出しまたは延長するように、他方の第１および第２のポスト３、５へ、およびそこから移動可能である。さらに図１から明白なように、第２の可撓性ガイド部材１１は、第２のポスト５の上部に位置している第１の端部部材１３に取り付けられたそのリンク１７ａのうちの１つの第１の端部を有していてもよい。第２のガイド部材１１の第２の端部リンク１７ｂはまた、第１のポスト３のガイドトラック２３内で摺動して収容するための配置であってもよい。この目的のために、第１のポスト３の上部の第２の端部部材１５も、ガイド部材ディフレクタ２１を有する。第１および第２のポスト３、５が互いに対して移動するとき、第１および第２の可撓性ガイド部材９、１１は、大なり小なりの程度でそれぞれの第１および第２のポスト３、５に収容されるだろう。第１または第２のポスト３、５のうちの１つは好ましくは建築物の開口部の片側に固定されるが、第１および第２のポスト３、５の両方が、被覆装置１を選択的に左から右へ、または右から左へのいずれかで開放する選択肢を与えるように移動可能であることも考え得る。第１の可撓性ガイド部材９がまっすぐな経路に沿って移動するのを支援するように、比較的平坦なガイドレール２５は、被覆装置１を伴う建築物の開口部に隣接した床面または下枠面に固定的に搭載されてもよい。この固定されたガイドレール２５は、第１の可撓性ガイド部材９の補完的な形成物と係合するように配置される。網部材７の上部で、同様の配置が第２の可撓性ガイド部材１１に提供されてもよいものの、通常これは必要または望ましいとは考えられていない。したがって、網装置１の上縁部はバランスプロファイル２７によって被覆され、それは、それぞれの第１および第２のポスト３、５の上部で第１および第２の端部部材１３、１５のためのガイダンスだけを含んでもよい。網部材７は、任意で、ばねローラなどによって張力を受けて支えられるローラスクリーンであってもよいが、図１の実施形態はアコーディオンプリーツ状の網素材を含む。網部材７のようなひだ状の網では、第１および第２の可撓性ガイド部材９、１１との係合によってのみ、その上部および底部の縁部をガイドすることが可能である。しかしながら、第１および第２の可撓性ガイド部材９、１１間の距離が被覆装置１の高さ寸法とともに実質的に増大するとき、心線２９、３１の形態で追加の安定化手段を提供することが必要かもしれない。網部材７の寸法にしたがって数本提供されてもよい各心線２９、３１は、第１および第２の可撓性ガイド部材９、１１に平行に延長するように、網部材７の交互のひだ７ａ間の開口部を通って延長する。心線２９は、第１のポスト３の構造体に一方の端部２９ａで付けられている。心線２９の反対の端部２９ｂは、第１の可撓性ガイド部材９の第２の端部リンク１７ｂに付けられている。心線２９は、その反対の端部２９ｂから、第２の端部部材１５にある戻りガイド３３のまわりを経由し、さらに第２のポスト５にある再方向付けガイド３５によって、第１および第２のガイド部材９、１１に平行な方向に曲げられる。戻りガイド３３および再方向付けガイド３５の両方が、図１に概略的に表示されるように滑車輪として具体化されてもよいが、耐摩耗性ガイド面によって形成されてもよい。同様の配置が、さらなる心線３１に用いられる。さらなる心線３１のルートは、第２のポスト５に付けられた第１の端部３１ａ、第１のポスト３にある再方向付けガイド３７、第１のポスト３の上部の第２の端部部材１５にある戻りガイド、およびそれとともに移動するための第２の可撓性ガイド部材１１の第２の端部リンク１７ｂに付けられた第２の端部３１ｂを含む。
【００２０】
ここで、簡単に図２への参照をするが、それは図１の矢印ＩＩ−ＩＩの方向に見た、可能性のあるバランスプロファイル２７の部分横断面である。図２では、バランスプロファイル２７が下向きにぶら下がっている前面および背面フランジ２７ａ、２７ｂを有する。前面および背面フランジ２７ａおよび２７ｂは、ポスト３の上部で、第２の端部部材１５の向かい合う面においてぴったりと並列され、ポスト３が移動可能であり移動しているときにまっすぐな経路に沿ってそれをガイドする。逆に、第２のポストの上部にある第１の端部部材１３は、第２のポスト５が移動可能であり移動しているときに、バランスプロファイル２７によって同様にガイドされるだろう。図２にさらに表示されるのは、第２の可撓性ガイド部材１１のチェーンリンク１７の位置である。図２に示すように、ぶら下がっている前面フランジ２７ａは、バランスプロファイル２７の分離可能な別体の前壁面３８の一部であってもよい。建築物の開口部に被覆装置１を設置するとき、たとえば、別体で取り付けられた前壁面３８が非常に簡便なことがある。第２の端部部材１５は、本明細書において以下でさらに議論される追加の蓋部３９を任意で備えてもよい。上部ガイドバランスプロファイル２７の別体で取り付け可能な前壁面３８も、バランスプロファイル２７を建築物の開口部のフレームに、またはこのような建築物の開口部の前に直接搭載するときに、有利である。前壁面３８がまだ定位置にないと、建造物の構造体に取り付けるための任意の搭載ねじへ、簡単にアクセスすることが可能である。
【００２１】
図３は、図１の左手上部部分の部分斜視図であり、第１のポスト３の上端部を示す。第２の端部部材１５から出る、第２の可撓性ガイド部材１１およびチェーンリンク１７の一部分も示している。各リンク１７は、ヒンジ接続を形成するピン４３および細孔４５を備える。ここに示すように、第２の端部部材１５は、任意の追加蓋部３９によって、その上端部において遮断される。
【００２２】
図４は、図１の被覆装置１の左手底部部分の分解配置における部分斜視図である。図４は、第１のポスト３の底端部に嵌め合わせたような第１の端部部材１３を示す。第１の端部部材１３が、固定されたガイドレール２５（明確にするため、その操作位置からスペースを空けて示される）によって摺動可能にガイドされることを可能にするために、特別な蓋部４１が、第１の端部部材１３の底部で嵌め合わせられてもよい。特別な蓋部４１は、ガイドレール２５に対して補完的な断面を有する凹部４１ａを備える。第１の可撓性ガイド部材９も、ガイドレール２５によってガイドされるという同じ目的のために、完的なくぼみ９ａを形成することが分かる。可撓性ガイド部材９は、互いに枢動可能にヒンジ連結された、その個別のリンク１７を有する。それぞれのヒンジ接続は、１つのリンク１７上のピン４３、および対面するリンク１７上の細孔４５を含む。考え得るところでは、可撓性ガイド部材は、リンクが一体成型ヒンジなどによって一体的に接続された、連続的な素子としてピボットなしで形成されることも、任意であり得る。その他と同様に、このような代替は当業者には周知であり、本発明を説明する目的のためにいかなる詳細な開示も要しない。
【００２３】
図５は、枢動可能に相互接続されたチェーンリンク１７のうちの２つの斜視図である。各リンク１７は、中央ウェブ４７、および向かい合う側面フランジ４９、５１からなる。各向かい合う側面フランジ４９、５１は、５３で内面が、５５で外面が凹んでいる。内面凹部５３が細孔４５の場所と一致する一方で、外面凹部はピン４３の場所と一致する。可撓性および弾力性のある素材、たとえばプラスチック製であるとき、ピン４３は、向かい合うフランジ４９、５１の撓みによって、隣接したチェーンリンク１７上の細孔４５の中へ簡単にスナップ嵌めされてもよい。図５では、隣接したチェーンリンク１７間の位置は、外面凹部５５によって形成された縁部に対して当接する１つのチェーンリンク１７の向かい合う側面フランジ４９、５１の外輪郭の部分と、外面凹部５５によって形成された縁部とが最大旋回曲がりとなる位置である。さらに図５では、外面凹部５５が円弧状のさらなる凹部５７を有すること、および内面凹部５３が突出ノッチ５９を有することが見て取れる。図６の多重立面図で見られるように、突出ノッチ５９は、円弧状の凹部５７と協働して、図５に示したものと反対の方向に旋回曲がりを制限する。図６に示した位置から、隣接したチェーンリンク１７が、それらのピン４３および細孔４５がすべて直線に沿って整列するまで旋回するとき、対面するノッチ縁部５９ａおよび対面する円弧凹部縁部５７ａは、互いに当接するだろう。それにより、１つの方向に旋回するチェーンリンク１７は、可撓性ガイド部材９、１１にまっすぐであることだけを許容し、それに対して関節は、まっすぐな位置の片側だけを許容する。被覆装置の上部にある第２の可撓性ガイド部材１１を、ひだ状の網部材７の上縁部にその全重量で置くべきでないとき、この特色が重要である。図５および６から明白なさらなる特色は、チェーンリンク１７の中央ウェブ４７は、ヒンジ接続をなすピン４３および細孔４７と同様に、向かい合う側面フランジ４９、５１の高さに関して、非対称的に位置している。中央ウェブ４７の位置はそのようであるため、くぼみ６１が、固定されたガイドレール２５のくぼみ９ａと比較して比較的大きい網部材７の縁部を収容するように形成される。網部材７の縁部は、むしろ可撓性があり非剛性になりがちなので、より深いくぼみ６１によって提供される支持から恩恵を受けるだろう。対照的に、ガイドレール２５は、比較的平坦および剛性であり、くぼみ９ａは適切な連動を提供するために浅さだけを必要とする。
【００２４】
図７および８の各々は、図１に表されるような被覆装置１の右手上隅を示す。図８は、図７の多重部分図である。ここで第２のポスト５の上端部は、第１の端部部材１３の標本を担持する。第２の可撓性ガイド部材１１の一部分も示されていて、それは、第１の端部部材１３に接続されたその第１の端部リンク１７ａを有する。第１の端部部材１３は、任意の蓋部６３によって遮断されるその上端部を有することができる。この任意の蓋部６３は、第１の端部部材１３が（図１および２に示した）バランスプロファイル２７の後ろに隠れているときに削除することができ、または（図４に示した）特別な蓋部４１と同じ種類であってもよい。図７および８から、蓋部６３は、その取り付けのために第１の端部部材１３の外壁面にある開口部６７に係合する戻り止めを有する一対のぶら下がっているつまみ部６５を有することも認識できる。
【００２５】
図９は、図１に示すような被覆装置１の右手下隅断面の部分斜視図である。ガイドレール２５は、第２の端部部材１５からスペースを空けた分解配置で示されている。ここで第２の端部部材１５は、第１の可撓性ガイド部材９のチェーンリンク１７をガイドするためにガイドトラック１９が延長する第２のポスト５の下端部に搭載される。同様に断面で示したチェーンリンク１７は、それらの中央ウェブ４７によって認識することができる。それにより、チェーンリンク１７は、ガイドトラック１９によってガイドされるとき、第２のポスト５と垂直に整列するように、ガイドレール２５に平行な延長から曲げられることも分かる。第２のポスト５の中へ、および外へのチェーンリンク１７の曲がりは、第２の端部部材１５のガイド部材ディフレクタ２１によってもたらされる。チェーンリンク１７の曲がりは、内側の隅を形成するガイド部材ディフレクタ２１に向かい合うガイド面２１ａによってさらにガイドされてもよい。心線２９（図９では図示しないが、図１を参照して既に説明済）をガイドするため、第２の端部部材１５にある戻りガイド３３として、滑車輪が提供されることがさらに分かる。
【００２６】
図１０および１１は、代替状況での第１および第２のポスト３、５の長手方向端面図である。第１および第２のポスト３、５の各々は、有利には、同一の基部プロファイル６９および補助プロファイル７１から組み立てられてもよい。補助プロファイル７１は、長手方向に延長するあり溝部７３を有し、２つの異なる位置のうちの選択的な１つにおいて基部プロファイル６９に搭載することができる。図１０に示すように、補助プロファイル７１は、被覆装置１の前または後面に開放するあり溝部７３とともに第１の位置で搭載される。補助プロファイルは、基部プロファイル６９上の同様に長手方向の形成物の形態で補完的な、補助プロファイル７１の長手方向の縁部上にあるスナップ嵌め形成物７４ａ、７４ｂによって、基部プロファイル６９に取り付いている。図１１に示すように、補助プロファイル７１は、代替として、被覆装置１の外縁部に開放するあり溝部７３とともに第２の位置で搭載される。スナップ嵌め形成物７４ａ、７４ｂは同等であり、互いに交換可能である。あり溝部７３は、搭載ハードウェア、ドラフトまたは剛毛プロファイル、ハンドル、ラッチ、または同様の付属品を受ける際に機能することができる。補助プロファイル７１は実質的にＬ字型構成であり、あり溝部７３を担持する以外のその面は、中心線７５で概略的に表示されるように、搭載用ファスナを受け入れるために用いられてもよい。ファスナ中心線７５は、予めドリルであけられた搭載用穴を表してもよいし、またはドリルのガイダンスのために一体的に形成される溝部を表してもよい。図１０では、どのようにして基部プロファイル６９の内部が、チェーンリンク１７をガイドおよび収容するためのガイドトラック１９、２３を形成するのかが、追加で図示される。さらなる場所決め手段７７が網部材７を搭載するための基部プロファイル６９上に、および取り出すときにひだ状の網部材７を被覆するための第１および第２のフランジ７８、８０が提供される。補助プロファイル７１の２つの位置は、建築物の開口部の点では、被覆装置１の代替搭載選択肢に対処するのに特に有用である。建築物の開口部のフレーム内に搭載するとき、補助プロファイル７１は図１０に示すように位置してもよく、取り付けるファスナ素子は、中心線７５にしたがって対面するフレーム部材に直接取り付けてもよい。逆に、図１１に示すように位置している補助プロファイル７１では、被覆装置は、建築物の開口部を取り囲む壁面に直接搭載されてもよい。
【００２７】
ポスト３、５が基部プロファイル６９のアセンブリとして配置され、補助プロファイル７１が２つの異なる位置のうちの選択的な１つに搭載可能なので、在庫管理を低減する利点をもたらし、設置前に製品を変形することも認める。図１０および１１を参照して説明したような具体的な配置も、被覆装置製品の組み立ての間、ポスト３、５の内部が出入り可能であることを認めるが、それは従来技術では可能ではなかった。
【００２８】
図１２および１３は、図１の被覆装置の左手底部部分の代替配置を図示する。図４に示した配置からの第１の変更点は、ここで、第２の端部部材１５が第１のポスト３の底部に嵌め合わせられていることである。第２の端部部材１５の標本の、第１または左手のポスト３への嵌め合わせは、図１に示すように、被覆装置１の鏡像配置に効果的に対応する。さらに重要な変更点は、（この場合）第２の端部部材１５が特別な蓋部（たとえば、図４の４１）によってではなく、むしろガイドインサート７９によってガイドされている。開口部６７は、第２の端部部材１５について定位置でガイドインサート７９を保持するために用いられる。図１３は、下方から見た、および明確にするためガイドレール２５を削除した、図１２の配置の部分斜視図である。図１３は、図１２に示したようなガイドレール２５の向かい合う側に係合する一対のガイドノッチ８１を有するガイドインサート７９も図示する。
【００２９】
図１４は、ガイドインサート７９を示す下方からの斜視図である。図１４に示すように、ガイドインサート７９は、（図４、１２、および１３に示した）開口部６７と係合するために、その自由端にそれぞれの戻り止め８３を有し、その側面から延長する一対のトルク６５を有することが明らかに示されている。インサート７９は、図１４および１５に見られるように、ガイド部材ディフレクタ２１も備える。図１５は、上方から見られるように、ガイドインサート７９の斜視図である。
【００３０】
異なってヒンジ連結されたチェーンリンク１１７Ａ、１１７Ｂを有する代替可撓性ガイド部材１０９は、図１６に多重立面図として示されている。可撓性ガイド部材１０９の個別チェーンリンク１１７Ａ、１１７Ｂの例示は、部分断面斜視図として図１７に示されている。代替可撓性ガイド部材１０９は、第２の種類のチェーンリンク１１７Ｂと交互で枢動可能に相互接続されたチェーンリンク１１７Ａを含む。第１の種類のチェーンリンク１１７Ａは第１の中央ウェブ１４７Ａを有し、第２の種類のチェーンリンク１１７Ｂは第２の制御ウェブ１４７Ｂを有する。第２の中央ウェブ１４７Ｂは、第１の中央ウェブ１４７Ａよりも広い。結果として、第１の種類のチェーンリンク１１７Ａの、平行な一対の第１の向かい合う側面フランジ１５０Ａは横にスペースを空けて、（図示しないが、網部材７と同一の）網部材の縁部を収容するためのくぼみをその間に画定する。第２の種類のチェーンリンク１１７Ｂの、平行な一対の第２の向かい合う平行な側面フランジ１５０Ｂは、第１の向かい合う側面フランジ１５０Ａの外表面が第２の向かい合う側面フランジ１５０Ｂの内表面に係合するように、スペースを空けられている。第１および第２の中央ウェブ１４７Ａ、１４７Ｂの各々は、その長手方向端部のうちの１つにヒンジピン１４３、およびその長手方向端部のうちの反対の１つにヒンジ口１４５を、一体的に形成して有している。フリンジ口１４５の形状は、素材の可撓性が、隣接したチェーンリンク１１７Ｂ、１１７Ａなどのヒンジ口１４５の中へ、１つのチェーンリンク１１７Ａ、１１７Ｂのヒンジピン１４３スナップ嵌めで係合することを可能とするようなものである。
それにより、可撓性ガイド部材１０９は、要求されうるどのような長さにも形成されるだろう。
【００３１】
このように、可撓性ガイド部材９、１１、１０９の代替形は図５、６、１６、および１７を参照して記載されてきたが、その他の形態もまた可能であることが当業者には明らかだろう。さらなる例として、当業者は、ヒンジ接続によって相互接続されたチェーンリンクの、可能性のあるその他の形態について、ＵＳ３，２８４，０３６、ＵＳ３，６６４，６１９、またはＵＳ４，３９２，３４４によって提供される知見を利用してもよい。
【００３２】
補助プロファイル１７１の代替形態の長手方向端面図が、図１８Ａに示されている。補助プロファイル１７１の代替形態は、図１０および１１の補助プロファイル７１とは、向かい合う内屈フランジ１８４および１８６によって境界を接する、片側にある、比較的広いアンダーカット搭載溝部１８２を有することにおいて異なる。内屈フランジ１８４、１８６は、当該技術分野において周知の方法で建築物の開口部の中または上に網装置を搭載するための搭載用ブラケットに係合するのに有用である。よって、明確にするため、搭載用溝部１８２と協働するのに適した搭載用ブラケットの記述は余分であるとみなされる。把持形成物１７３Ａ、１７３Ｂが、補助プロファイル１７１上に提供されて、図１０および１１の補助プロファイル７１について記載されているのと同様の方法で基部プロファイル６９の補完的な形成物と協働する。したがって、把持形成物１７３Ａ、１７３Ｂも基部プロファイルの補完的な形成物の各々と同等に係合可能であるので、補助プロファイル１７１を、選択的な１つまたは２つの異なる位置で搭載することができる。それにより、一般的にＬ字型の補助プロファイル１７１の搭載溝部１８２は、被覆装置が延長する平面に対して平行または直交する平面に、その開口部を有することができる。
図１０および１１の基部プロファイル６９との協働とは別に、代替補助プロファイル１７１は、図１８Ｂに示すようなわずかに変形された形態の基部プロファイル１６９と協働することもできる。
【００３３】
それに取り付けられたひだ状の網部材を有する、図１８Ｂに図示される変形された形態の基部プロファイル１６１は、その長手方向端面図によって示されている。変形された基部プロファイル１６９は、中空の内部が、第１および第２の可撓性ガイド部材９、１１、１０９のうちの１つを受けるガイドトラック１１９を画定する、中央ウェブ部分１８７の片側に搭載用形成物１７４Ａ、１７４Ｂを有する。各搭載用形成物１７４Ａ、１７４Ｂは、代替補助プロファイル１７１の把持形成物１７３Ａ、１７３Ｂのうちのいずれか１つと、また、補助プロファイル７１のスナップ嵌め形成物７４ａ、７４ｂのうちのいずれか１つとも協働するように適合する。反対側の中央ウェブ部分１８７は、網部材７を搭載するための場所決め手段１７７、および中央ウェブ部分１８７に対して取り出すときにひだ状の網部材７を遮蔽するための第１および第２のフランジ１７８、１８０を備える。変形された基部プロファイル１６９に網部材７を搭載するために、ひだ状の網部材７の端部ひだは、嵌め合わせストリップ１８９に取り付けられる。嵌め合わせストリップ１８９は、その長手方向の縁部のうちの１つで、場所決め手段１７７を係合する。
以下でより詳細に説明するように、嵌め合わせストリップ１８９は、その長さに沿って、それに搭載された複数のコードガイドブロック１９１も有していて、それは嵌め合わせストリップ１８９を中央ウェブ部分１８７の凹溝部１９２に搭載する。コードガイドブロック１９１は、心線、たとえば図１に示した心線２９、３１の再方向付けおよび取り付けの役割も果たす。
【００３４】
基部プロファイル１６９とともに用いるためのコードガイドブロック１９１は、図１９Ａおよび１９Ｂの向かい合う斜視図により詳細に示される。各コードガイドブロック１９１は、心線、たとえば２９または３１を受けるための、それを嵌め合わせストリップ１８９と実質的に平行な方向に再方向付けるためのひだ状の網部材７を通って延長する、中央貫通孔１９３を備える。この目的を達成するために、突起部２０９を通って延長する貫通孔１９３は丸みをつけた周縁部１９３Ａを備えて、コードガイドブロック１９１の長さ方向に延長する内部経路１９５を通って延長するように、心線を曲げるおよびガイドする。内部経路１９５への開放端は、その間でコード進入スロット１９９を画定するつまみ部１９６を保持する内方へ方向づけられたコードを有する。コードガイドブロック１９１は、図１に示すような心線のコード端部、たとえば端部２９Ａ、３１Ａの任意の取り付けのために、長手方向孔２０１をさらに有する。
【００３５】
コードガイドブロック１９１は、基部プロファイル１６９の凹溝部１９２の向かい合う縁部の後ろで係合するための、向かい合う第１および第２の段状縁部２０３、２０５をさらに備える。第２の段状縁部２０５は、弾力性アーム部分２０７上に位置していて、コードガイドブロック１９１が凹溝部１９２との係合においてスナップ嵌めされることを認める。簡便には、コードガイドブロック１９１は、コードの摩滅に対して良好な耐摩耗性を有するプラスチック素材から作られる。このようなプラスチック素材の１つの適した例は、ＳＡＢＩＣ社、以前はGeneral Electric社のプラスチック部門によって、ＵＬＴＥＭの名称で販売されるポリエーテルイミド（ＰＥＩ）である。
【００３６】
ここで図２０に立ち戻ると、ひだ状の網部材７を基部プロファイル１６９に搭載するための、一部組み立てられた嵌め合わせストリップ１８９が示されている。図２０では一部分だけが示されている嵌め合わせストリップ１８９は、単一の円形開口部２１３、および複数の積層する円形開口部の鋸歯状スロット２１５からなるその長さに沿った反復パターン２１１を有する。円形開口部２１３およびスロット２１５の両方が、その嵌め合わせストリップ１８９への取り付けのためのコードガイドブロック１９１の突起部２０９を受けるために提供される。図２０では単一のコードガイドブロック１９１だけを示しており、それは円形開口部２１３に取り付けられていて、それにより、鋸歯状スロット２１５をより明らかに示す。しかしながら、さらなるコードガイドブロック１９１が、鋸歯状スロット２１５の長さに沿って提供される８つの異なる位置のうちの選択的な１つに取り付けられてもよいことが理解される。鋸歯状スロット２１５は、それにより、鋸歯状スロット２１５に取り付いているガイドブロック１９１の長手方向孔２０１に取り付けられた心線のコード端部（たとえば、図１の２９Ａ、３１Ａ）の、異なる調節可能な張力位置を供するだろう。明らかに、８つの調節位置を有する鋸歯状スロットの例は制限的な要件ではなく、その他の選択可能な数の位置が当業者によって考えられてもよい。
【００３７】
基部プロファイル６９、１６９から取り外されたその嵌め合わせストリップ１８９を有するひだ状の網部材７の部分斜視図が、図２１に図示されている。ここで、嵌め合わせ段１８９は網部材７の真下に隠れていて、１つのコードガイドブロック１９１がその突起部２０９で円形開口部２１３に（両方が図から隠れている）取り付けられ、別のコードガイドブロック１９１が選択された位置で網素材を通って鋸歯状スロット２１５に取り付けられる。図２１では、コードガイドブロック１９１のそれぞれの場所が、ブラケット間の開口部およびスロットの関連性のある参照番号を付与することによって表示される。図２１では、第１の心線２２９が、左手ガイドブロック１９１（２１３）の内部経路１９５、そして右手ガイドブロック１９１（２１５）の内部経路１９５を通過することが、さらに図示される。第１の心線２２９の自由２２９Ａ端は、右手ガイドブロック１９１（２１５）の長手方向孔２０１を通って戻され、ナット２２９Ｂによってそれに保持される。第２の心線２３１は右手ガイドブロック１９１（２１５）を通過して、そこから、ひだ状の網部材７を通って延長するように貫通孔１９３を通って曲げられた左手ガイドブロック１９１（２１３）の経路１９５へ延長する。明確にするため、網部材７および嵌め合わせストリップが基部プロファイルにまだ取り付けられていないものの、図２２は搭載位置を示すだろう。
【００３８】
基部プロファイル、たとえば１６９に取り付けられた、ひだ状の網部材７および嵌め合わせストリップ１８９は、図２２に図示される。図２２は、図２１に示したそれと反対の、嵌め合わせストリップ１８９の側面を示す部分斜視図である。心線、たとえば２９、３１、２２９、または２３１は、嵌め合わせストリップ１８９にある円形開口部２１３で係合するガイドブロック１９１の突起部２０９の貫通孔１９３に進入することが分かる。嵌め合わせストリップ１８９の裏では、図２１を参照して上述したように、心線が曲げられるだろう。別のコードガイドブロック１９１は、鋸歯状スロット２１５に沿って選択された部分において、その突起部２０９と係合する。この、その他のコードガイドブロックは、嵌め合わせストリップ１８９の手段によって基部プロファイル６９、１６９との関連で、心線の端部、たとえば２９Ａ、３１Ａ、または２２９Ａを固定するためだけに用いられる。図２０を参照して既に説明したように、円形開口部２１３および鋸歯状スロット２１５は一緒に、嵌め合わせストリップ１８９上で基部プロファイル６９、１６９に沿って、ひだ状の網部材７を通って経由する心線があるだけ何度でも繰り返されるパターン２１１を形成する。図２２の部分図は、単一のパターン２１１だけを示す。鋸歯状スロット２１５に係合するコードガイドブロック１９１の貫通孔１９３から延長する心線はないだろう。この特定のコードガイドブロック１９１は、同様に図２２において見て取れる第１のフランジ７８、１７８の心線のうちの１つを基部プロファイル６９、１６９につなぎとめるために用いられるだけである。
この配置の特定の態様は、凹溝部１９２（図１８Ｂ参照）において提供される隙間と併せて、嵌め合わせストリップ１８９およびコードガイドブロック１９１の一般的な可撓性が、コード張力を調節することを認めることである。コード張力の調節は、図２２に示すように組み立てられた被覆装置で達成することができる。この状態では、網部材７は、鋸歯状スロット２１５に係合したガイドブロック１９１の貫通孔１９３の端部へ出入りするのにちょうど十分なだけ、わきへ移動してもよい。突起部２０９および／または孔１９３を適したツールに係合してそこに圧力をかけることによって、それぞれの突起部２０９は１つのインデックス位置から別のものへ移動することができるだろう。
かけられた圧力を解放する際、突起部２０９は再度、鋸歯状スロット２１５の鋸歯状の縁の間に固く係合するだろう。公知の被覆装置では、少なくともある程度の分解なしで安定化コードの張力を調節することが可能ではなかった。本配置では、調節が、建築物の開口部の中または上に既に設置された被覆装置で実施され、いかなる分解なしでそうすることを許容する。
【００３９】
したがって、防虫網戸として有用な、建築物の開口部のための取り出しおよび延長可能な被覆装置（１）が開示される。このように、取り出しおよび延長可能な被覆装置（１）は、第１および第２の実質的に平行なポスト（３、５）、取り出しおよび延長可能な実質的に長方形の網部材（７）、および第１の可撓性ガイド部材（９、１０９）を含む。第１の可撓性ガイド部材（９、１０９）は、第１および第２のポスト（３、５）のうちの１つの中へ曲げられ、その中で摺動可能に受けることができる。平行なポスト（３、５）の各々は、中空の内部（１９、２３）を有し、前記第１および第２のポストのうちの少なくとも１つが、他方に向けておよび離れて移動可能である。取り出しおよび延長可能な網部材（７）は、第１および第２の対の向かい合う平行な縁部を有し、その第１の対の平行な縁部において前記第１および第２の平行なポスト（３、５）の間に搭載される。第１の可撓性ガイド部材（９、１０９）は、網部材（７）の第２の対の平行な縁部の１つの縁部に沿って、前記第１および第２のポスト（３、５）の間で延長して、前記網部材（７）の１つの縁部を保持する。第１および第２のポスト（３、５）は各々、その間で、その中で第１の可撓性ガイド部材（９、１０９）を摺動可能に受けることに適した前記中空の内部を画定する、基部プロファイル部（６９、１６９）および補助プロファイル部（７１、１７１）を含む。任意で、第２の可撓性ガイド部材（１１）が、前記網部材（７）の該第２の対の平行な縁部の他方の縁部に沿って延長して他方の縁部を保持する。第２の可撓性ガイド部材（１１）が、前記第１の可撓性ガイド部材（９、１０９）を受けるもの以外の前記第１および第２のポスト（３、５）のうちの１つの内で曲げられ、および摺動可能に受けることができる。
【００４０】
このように、本発明の操作および構造は前述の明細書から明白だろうと考えられる。当該技術分野の当業者には、本発明が本書に表され記載されている実施形態に制限されないが、添付の請求項の枠組み内で多数の変形が可能であることが明らかだろう。力学的反転も、本質的に開示され本発明の範囲内であると考えられる。本明細書または添付の請求項で用いられるとき、含む（comprising）および含む（including）の用語は、排他的または網羅的な意味ではないが、むしろ、包含的な意味で解釈されるべきである。「のための手段」のような表現は、「のために構成される部品」または「するために構築される部材」と読まれるべきであり、開示された構造の同等物を含むように解釈されるべきである。「必須の」「好ましい」「特に好ましい」等の表現の使用は、本発明を制限することを意図しない。具体的または明示的に、記載または請求されていない特色が、その範囲から逸脱しない範囲で本発明による構造に追加で含まれてもよい。
【図１】
2014523988.tif 000003
【図２】
2014523988.tif 000004
【図３】
2014523988.tif 000005
【図４】
2014523988.tif 000006
【図５】
2014523988.tif 000007
【図６】
2014523988.tif 000008
【図７】
2014523988.tif 000009
【図８】
2014523988.tif 000010
【図９】
2014523988.tif 000011
【図１０】
2014523988.tif 000012
【図１１】
2014523988.tif 000013
【図１２】
2014523988.tif 000014
【図１３】
2014523988.tif 000015
【図１４】
2014523988.tif 000016
【図１５】
2014523988.tif 000017
【図１６】
2014523988.tif 000018
【図１７】
2014523988.tif 000019
【図１８Ａ】
2014523988.tif 000020
【図１８Ｂ】
2014523988.tif 000021
【図１９Ａ】
2014523988.tif 000022
【図１９Ｂ】
2014523988.tif 000023
【図２０】
2014523988.tif 000024
【図２１】
2014523988.tif 000025
【図２２】
2014523988.tif 000026
【国際調査報告】
2014523988.tif 000027
2014523988.tif 000028